(57)【要約】【課題】封水切れの際、排水管を閉鎖して排水管からの臭気の逆流や虫の侵入を防止し、本体ケースの上部に網かごを設けたもの、高さの低い本体ケースを有するものであっても、適用可能な排水トラップを提供する。【解決手段】本体ケース１内の下部に排水筒２が上端を開口して設けられる。排水筒２の周囲に封水容器３が形成され、封水容器３内に、排水筒２の上端部を上から覆うように逆椀８が被せられる。水中で浮上するフロート式の環状閉鎖具７が、排水筒の周囲で、逆椀８の下端部の内側または外側に、封水容器３内の水量に応じて上又は下に摺動自在に配設される。環状閉鎖具７は底部の下端円周部に鋭角先端７ｂを有した円環状に形成される。封水容器３内の水が減少したとき、環状閉鎖具７が下降して封水容器３の底部に着座し、逆椀８の下端部と封水容器３の底部間の流路３ａを閉鎖する。【選択図】図１
2010048030.tif 000002
【特許請求の範囲】
【請求項１】
本体ケース内の下部に排水筒が上端を開口して設けられ、該排水筒の下部に排水管接続部が設けられ、該排水筒の周囲に封水容器が形成され、該封水容器内に、該排水筒の上端部を上から覆うように逆椀が被せられた排水トラップにおいて、
水中で浮上するフロート式の環状閉鎖具が、該排水筒の周囲で、該逆椀の下端部の内側または外側に、該封水容器内の水量に応じて上又は下に摺動自在に配設され、該環状閉鎖具は底部の下端円周部に鋭角先端を有した円環状に形成され、該封水容器内の水が減少したとき、該環状閉鎖具が下降して封水容器の底部に着座し、該逆椀の下端部と封水容器の底部間の流路を閉鎖することを特徴とする排水トラップ。
【請求項２】
前記逆椀の下端部の内側面または外側面に、浮上する前記環状閉鎖具を止めるためのストッパが設けられ、前記封水容器内の封水により該環状閉鎖具に浮力が生じているとき、該環状閉鎖具の上部が該ストッパに当接し、該環状閉鎖具は該封水容器の底部の流路を開いた状態で静止することを特徴とする請求項１記載の排水トラップ。
【請求項３】
本体ケース内に椀状の封水容器が配設され、該封水容器内に上方から漏斗がその先端と該封水容器の底部との間に流路を設けて挿入され、該漏斗の上端部に排水入口が設けられ、該本体ケースの下側部に排水管接続部が設けられた排水トラップにおいて、
水中で浮上するフロート式の環状閉鎖具が、該封水容器の底部近傍で、且つ該漏斗の先端の下端部の内側または外側に、該封水容器内の水量に応じて上又は下に摺動自在に配設され、該環状閉鎖具は底部の下端円周部に鋭角先端を有した円環状に形成され、該封水容器内の水が減少したとき、該環状閉鎖具が下降して封水容器の底部に着座し、該封水容器の底部の流路を閉鎖することを特徴とする排水トラップ。
【請求項４】
前記漏斗の下部の内側面または外側面に、浮上する前記環状閉鎖具を止めるためのストッパが設けられ、前記封水容器内の封水により該環状閉鎖具に浮力が生じているとき、該環状閉鎖具の上部が該ストッパに当接し、該環状閉鎖具は該封水容器の底部の流路を開いた状態で静止することを特徴とする請求項３記載の排水トラップ。
【発明の詳細な説明】
【技術分野】
【０００１】
本発明は、流し台、浴室の排水口などに使用され、排水管からの臭気の逆流や虫の侵入を防止する排水トラップに関する。
【背景技術】
【０００２】
台所の流し台、浴室の排水口に接続された排水管からの臭気の逆流などを防止する排水トラップとして、本体ケースの内側に設けた排水筒の開口を、上から被せるように、逆腕を配置した構造の排水トラップが、一般に使用されている。
【０００３】
この種の排水トラップは、本体ケース内に適度な量の封水を満たした状態で使用することにより、排水管内と室内とを遮断して、排水管からの臭気の逆流や虫の侵入を防止するところ、流し台や浴室が長期間使用されない場合に、封水が蒸発し、或いは大量の水が流されて自己サイフォン現象や吸出し作用が発生して、封水が排水されてしまった場合、トラップ機能が失われ、排水管からの臭気の逆流や虫の侵入を防止できなくなる不具合があった。
【０００４】
そこで、従来、下記特許文献１において、球体フロートを用いて封水を本体ケース内に貯留する空調装置用の排水トラップが提案されている。この空調装置用の排水トラップは、本体ケース内の排水筒の上端開口部に、球体フロートを載置し、この球体フロートによって排水筒の上端開口を閉鎖するようにし、本体ケース内に一定レベル以上の排水が貯留した場合、球体フロートが浮上して、排水筒の上端開口を開放し、排水を行なう。そして、本体ケース内の封水のレベルが蒸発などで低下した場合、球体フロートが自重により排水筒の上端開口部に当接し、排水管を閉鎖する構造である。
【特許文献１】特開２００７−２２５１４６号公報
【発明の開示】
【発明が解決しようとする課題】
【０００５】
しかし、この排水トラップは、排水筒の外径以上の直径を有する球体フロートを、本体ケース内の上部に収納する構造のため、台所の流し台などに使用する排水トラップにおいては、本体ケース内の上部に配置され、塵埃を除去する網かごがこの球体フロートに干渉するため、球体フロートを本体ケース内に収容することができない問題があった。また、網かごを使用しない排水トラップにおいても、本体ケースの高さが低く制限された形状のものでは、本体ケース内上部に、球体フロートの配置スペースを作ることができず、この種の球体フロートを設けた排水トラップは、台所や浴室の排水管には使用できないという課題があった。
【０００６】
本発明は、上述の課題を解決するものであり、封水切れの際、排水管を閉鎖して排水管からの臭気の逆流や虫の侵入を防止し、本体ケースの上部に網かごを設けたもの、或いは高さの低い本体ケースを有するものであっても、適用可能な排水トラップを提供することを目的とする。
【課題を解決するための手段】
【０００７】
上記目的を達成する、本発明の請求項１に係る排水トラップは、本体ケース内の下部に排水筒が上端を開口して設けられ、該排水筒の下部に排水管接続部が設けられ、該排水筒の周囲に封水容器が形成され、該封水容器内に、該排水筒の上端部を上から覆うように逆椀が被せられた排水トラップにおいて、水中で浮上するフロート式の環状閉鎖具が、該排水筒の周囲で、該逆椀の下端部の内側または外側に、該封水容器内の水量に応じて上又は下に摺動自在に配設され、該環状閉鎖具は底部の下端円周部に鋭角先端を有した円環状に形成され、該封水容器内の水が減少したとき、該環状閉鎖具が下降して封水容器の底部に着座し、該逆椀の下端部と封水容器の底部間の流路を閉鎖することを特徴とする。
【０００８】
この発明によれば、排水トラップを設置した流し台や浴室が長期間使用されず、封水容器内の封水が蒸発し、或いは大量の水が流されて自己サイフォン現象や吸出し作用が発生して、封水容器内の封水が排水された場合、環状閉鎖具が下降して容器の底部に着座し、逆椀の下端部と封水容器の底部間の流路を閉鎖するので、排水管からの臭気の逆流や虫の侵入を防止することができる。
【０００９】
さらに、環状閉鎖具は、封水容器の底部で逆椀の下端部に配設されるため、本体ケースの上部に配設される網かごなどと干渉することはなく、また、本体ケースの高さが低く制限された形状の排水トラップであっても、本体ケース内上部に配置スペースを作ることなく、環状閉鎖具を配設することができ、既存の排水トラップに対し簡単に適用することができる。
【００１０】
本発明の請求項２の排水トラップは、上記請求項１の排水トラップにおいて、上記逆椀の下端部の内側面または外側面に、浮上する上記環状閉鎖具を止めるためのストッパが設けられ、封水容器内の封水により環状閉鎖具に浮力が生じているとき、該環状閉鎖具の上部が該ストッパに当接し、該環状閉鎖具は該封水容器の底部の流路を開いた状態で静止することを特徴とする。
【００１１】
この発明によれば、封水容器内に封水が溜まっており、環状閉鎖具が封水容器の底部の流路を開いた状態で静止するとき、逆椀の下部の内側または外側位置で環状閉鎖具を安定して保持することができる。
【００１２】
本発明の請求項３の排水トラップは、本体ケース内に椀状の封水容器が配設され、該封水容器内に上方から漏斗がその先端と該封水容器の底部との間に流路を設けて挿入され、該漏斗の上端部に排水入口が設けられ、本体ケースの下側部に排水管接続部が設けられた排水トラップにおいて、水中で浮上するフロート式の環状閉鎖具が、該封水容器の底部近傍で、且つ該漏斗の先端の下端部の内側または外側に、該封水容器内の水量に応じて上又は下に摺動自在に配設され、該環状閉鎖具は底部の下端円周部に鋭角先端を有した円環状に形成され、該封水容器内の水が減少したとき、該環状閉鎖具が下降して封水容器の底部に着座し、該封水容器の底部の流路を閉鎖することを特徴とする。
【００１３】
この発明によれば、排水トラップを設置した流し台や浴室が長期間使用されず、封水容器内の封水が蒸発し、或いは大量の水が流されて自己サイフォン現象や吸出し作用が発生して、封水容器内の封水が排水された場合、環状閉鎖具が下降して封水容器の底部に着座し、漏斗の下端部と封水容器の底部間の流路を閉鎖するので、排水管からの臭気の逆流や虫の侵入を防止することができる。
【００１４】
さらに、環状閉鎖具は、封水容器の底部で漏斗の下端部に配設されるため、本体ケースの上部に配設される網かごなどと干渉することはなく、また、本体ケースの高さが低く制限された形状の排水トラップであっても、本体ケース内上部に配置スペースを作ることなく、環状閉鎖具を配設することができ、既存の排水トラップに対し簡単に適用することができる。
【００１５】
本発明の請求項４の排水トラップは、上記請求項３の排水トラップにおいて、上記漏斗の下部の内側面または外側面に、浮上する上記環状閉鎖具を止めるためのストッパが設けられ、封水容器内の封水により環状閉鎖具に浮力が生じているとき、該環状閉鎖具の上部が該ストッパに当接し、該環状閉鎖具は該封水容器の底部の流路を開いた状態で静止することを特徴とする。
【００１６】
この発明によれば、封水容器内に封水が溜まっており、環状閉鎖具が封水容器の底部の流路を開いた状態で静止するとき、漏斗の下部の内側または外側位置で環状閉鎖具を安定して保持することができる。
【発明の効果】
【００１７】
このように、本発明の排水トラップによれば、封水切れの際には排水流路を閉鎖して排水管からの臭気の逆流や虫の侵入を防止することができる。また、本体ケースの上部に網かごを設けたものや、高さの低い本体ケースを有する既存の排水トラップであっても、それらの構造を変更せずに、比較的簡単に適用することができる。
【発明を実施するための最良の形態】
【００１８】
以下、本発明の一実施形態を図面に基づいて説明する。図１は排水トラップの半断面図を示し、図２は排水トラップ内で使用される環状閉鎖具７を示している。この排水トラップは、基本的には、本体ケース１内の下部に排水筒２が上端を開口して縦に設けられ、排水筒２の下部に排水管接続部６が設けられ、排水筒２の周囲に封水容器３が形成され、封水容器３内に、排水筒２の上端部を上から隙間を介して覆うように、逆椀８が封水容器３内に被せられて構成される。
【００１９】
排水トラップの本体ケース１は、その全体が上向きの略ベル型に形成され、開口した上部内に上部室４が形成され、その上部室４の上部に排水入口４ａが形成される。排水入口４ａには部分的に開口したキャップが被せられ、流し台などのシンク内の排水のみを本体ケース１内に流入させる。また、上部室４内には、網かご５が着脱可能に挿入され、排水中の異物をこし取るようになっている。
【００２０】
本体ケース１内の上部室４の下側には封水容器３がケースの一部として形成され、封水を溜める封水溜め室となっている。本体ケース１内の下部中央は、その底部中央から上に延設されるように排水筒２が突設され、封水容器３は、その排水筒２の周囲に円環状に形成されることとなる。排水筒２の上端は本体ケース１内で開口し、排水筒２の下部は本体ケース１の下部から外側に突設され、そこに排水管接続部６が形成されている。
【００２１】
その封水容器３内に、逆椀８が排水筒２の上端部を上から覆うように被せて配設される。逆椀８は、椀を下向きに伏せた形状に形成され、その内側には、複数のリブ８ａが形成されて、逆椀８を排水筒２に被せたとき、排水筒２の上部開口から側壁との間に充分な幅の隙間を形成して流路を設けるようにしている。また、逆椀８を排水筒２の上部に被せた状態で、逆椀８の下端部は、封水容器３の底部に当接せず、底部との間に、充分な隙間を形成して流路３ａを形成している。
【００２２】
さらに、逆椀８の下端部近傍の内側に、水中で浮上するフロート式の環状閉鎖具が、浮力で上昇し、封水量が減少したとき、その自重で下降するように、上下に摺動自在で、配設される。
【００２３】
この環状閉鎖具７は、図２に示すように、例えば、ステンレス板などの金属板を材料として、内部に空気室７ａを密封形成するように中空状に形成され、且つ全体が円環状に形成される。これにより、環状閉鎖具７は、ある程度の重量つまり封水が消失したときには確実に下降する重量を有し、且つ内部に空気室７ａを密封形成し充分に大きい体積を有して形成され、封水容器３内に封水が溜まっているときには、充分な浮力で浮上するようになっている。
【００２４】
また、この環状閉鎖具７の高さは、図４に示すように、流路３ａの高さより少し高く形成され、環状閉鎖具７が下降して底部に着座したとき、流路３ａを確実に閉鎖する構造である。なお、封水が消失したときには確実に下降する重量を持った材料であれば、硬質プラスチックにより環状閉鎖具７を内部に空気室７ａを密封した形状に形成することもできる。
【００２５】
すなわち、環状閉鎖具７は、図２に示すように、逆椀８の下端部の内側に殆ど隙間なく上下に摺動自在に嵌入される外径を有した円環状に形成され、封水容器３内の封水が蒸発などにより消失した際には、その自重により下降し、終には環状閉鎖具７の下端部が封水容器３の底部に着座するように形成される。特に、図４に示すように、封水容器３の底部には、着座時に環状閉鎖具７の円周下端部が線接触で確実に着座して、流路３ａ（逆椀８の下側に形成される排水の流路）を閉鎖するように、その円周下端部に、鋭角先端７ｂが円周に沿って設けられている。
【００２６】
また、この環状閉鎖具７の下端部の鋭角先端７ｂは、封水容器３内が封水切れとなり、環状閉鎖具７が封水容器３の底部に下降し当接したとき、底部に残留した水垢などにより環状閉鎖具７が底部に付着しないようにしている。
【００２７】
環状閉鎖具７が挿入される、逆椀８の下端部内側面の少し上方には、ストッパ８ｂが設けられ、環状閉鎖具７が、水中で浮力を受けた浮上したとき、その上部をこのストッパ８ｂに当て、逆椀８の内側下端部内で静止するようになっている。
【００２８】
なお、この実施形態では、環状閉鎖具７は、逆椀８の下端部の内側に摺動自在に配設されるが、逆椀８の下端部の外側に、摺動自在に配設することもできる。その場合には、ストッパ８ｂは逆椀８の下端部外側に突出して設けられ、逆椀８の下端部外側で環状閉鎖具７はストッパに当り静止することになる。
【００２９】
上記構成の排水トラップは、例えば流し台のシンクなどの排水口に設置されて使用され、本体ケース１の底部の排水管接続部６には図示しない排水パイプ（排水管）が接続される。
【００３０】
排水は、上部の排水入口４ａから本体ケース１内に入り、上部室４の網かご５を通過して、封水容器３に入る。そして、封水容器３から溢れた排水が逆椀８の内側を通過して、排水筒２の上端から排水筒２に入り、下部の排水管へと排水される。
【００３１】
この状態で、封水容器３には、通常時、図３に示すように、常に封水が溜まっており、その封水により排水管と室内の空間とは遮断され、排水管からの臭気の逆流や虫の侵入が防止される。つまり、封水により、排水管を通して臭気が室内に逆流せず、虫が排水管を通して室内に侵入することも防止される。
【００３２】
一方、大量の水が流されて自己サイフォン現象や吸出し作用が発生して、封水容器３内の封水が排水されて消失した場合、或いは排水トラップを設置した流し台が長期間使用されず、封水容器３内の封水が蒸発した場合、封水の減少と共に環状閉鎖具７が下降し、図４のように、封水容器３の底部に着座する。このため、逆椀８の下端部と封水容器３の底部間の流路３ａが環状閉鎖具７によって閉鎖され、排水管からの臭気の逆流や虫の侵入が防止される。
【００３３】
またこのとき、図４に示すように、環状閉鎖具７の下端部は鋭角先端７ｂとして形成されるため、環状閉鎖具７の下端部は円周部分で底部に着座するが、下端部が鋭角先端７ｂで形成されるため、線状部分で着座し、その間に隙間が生じにくく、環状閉鎖具７による閉鎖性能は、高く維持される。
【００３４】
一方、封水切れが発生して、環状閉鎖具７の鋭角先端７ｂが封水容器３の底部に当接して流路３ａが閉鎖された後、水が封水容器３内に再び満たされると、環状閉鎖具７に浮力が生じる。このとき、環状閉鎖具７の底部は、鋭角先端７ｂを有しているので、鋭角先端７ｂによって封水容器３の底部に付着することがない（封水容器３の底部には多くの水垢などが残留し、通常、付着しやすい状態となっている）。このため、封水容器３内が封水切れを起した場合でも、その後、封水容器３内に水を満たせば、流路３ａを確実に開き、排水トラップを再び正常に機能させることができる。
【００３５】
さらに、環状閉鎖具７は、ステンレス板などの金属板によりある程度重い自重を持って形成されるため、封水切れが発生した際には、その自重で確実に下降し、流路３ａを閉じることができる。さらに、その後再び、封水容器３内に水が入った場合には、環状閉鎖具７が内部に充分容量の大きい空気室７ａを有し、この空気室７ａによる大きな浮力が発生して、環状閉鎖具７は確実に浮上し、流路３ａを開放して、排水トラップの機能を確実に正常に戻すことができる。
【００３６】
このように、封水切れの際には、環状閉鎖具７が排水用の流路３ａを確実に閉鎖して排水管からの臭気の逆流や虫の侵入を防止することができる。また、環状閉鎖具７は、逆椀８の内側の内周面に沿って又は外周面に沿って摺動可能に設けられるので、本体ケース１の上部に網かご５を設けたものや、高さの低い本体ケースを有する既存の排水トラップであっても、それらの構造を変更せずに、比較的簡単に適用することができる。
【００３７】
図５、図６は排水トラップの他の実施形態を示している。この排水トラップは、概略的には、本体ケース２１内に椀状の封水容器２３が上部を開口して取り付けられ、本体ケース２１の側部に排水管接続部２６が設けられ、封水容器２３内には上から漏斗２４が挿入するように配置されて本体ケース２１の上開口部に取り付けられ、漏斗２４の上部内側に、ゴム製のホース挿入部２５が、上方から挿入されたホースを保持するように取り付けられて、構成される。
【００３８】
排水トラップの本体ケース２１は、その全体が高さの低い椀型容器状に形成され、その上部開口から漏斗２４がその先端を封水容器２３内に差し込むように取り付けられている。差し込まれた漏斗２４の先端と封水容器２３の底部間には隙間が排水の流路２３ａとして形成されている。また、その漏斗２４の先端部（下端部）内側には、挿入されたホースを支持するためのホース支持具２８が設けられている。
【００３９】
さらに、漏斗２４の上部は排水入口２４ａとして開口し、その排水入口２４ａには、ゴム製のホース挿入部２５が挿入されるように本体ケース２１の上部に嵌着される。このホース挿入部２５は、ホースの外径より小さい内径の挿入部を有して形成され、排水用のホースを差し込んだ際、そのゴム弾性により、漏斗２４内でホースを良好に保持する。そして、上記の如く、漏斗２４の内部には、挿入されたホースを内側から支持するホース支持具２８が設けられている。一方、この本体ケース２１は図５に示すように、上部室や網かご、下部室はなく、高さを低く抑えた形状に形成されている。
【００４０】
封水を溜める封水容器２３内には、漏斗２４が上方から挿入され、漏斗２４の下端部は、封水容器２３の底部に当接せず、底部との間に、充分な隙間の流路２３ａが形成され、この漏斗２４の下端部外側に、封水の溜まった通常時には浮上して流路２３ａを開放し、封水切れの発生時には、流路２３ａを閉鎖する、フロート式の環状閉鎖具２７が上下摺動自在に配設される。
【００４１】
この環状閉鎖具２７は、図６に示すように、例えば、ステンレス板などの金属板を材料として、内部に空気室２７ａを密封形成し、且つ全体が中空の円環状に形成される。これにより、環状閉鎖具２７は、ある程度の重量つまり封水が消失したときには確実に下降する重量を有し、且つ内部に空気室２７ａを密封して充分に大きい体積を有して形成され、封水容器２３内に封水が溜まっているときには、充分な浮力で浮上するようになっている。なお、硬質プラスチックにより環状閉鎖具２７をフロート状に形成することもできる。
【００４２】
この環状閉鎖具２７は、図５に示すように、漏斗２４の下端部の外側に殆ど隙間なく上下に摺動自在に嵌入される外径を有した円環状に形成され、封水容器２３内の封水が蒸発などにより消失した際には、その自重により下降し、終には環状閉鎖具２７の下端部が封水容器２３の底部に着座するように形成される。特に、図６に示すように、環状閉鎖具２７の円周下端部には、着座時に環状閉鎖具２７の円周下端部が封水容器２３の底部に線接触で確実に着座して、流路２３ａ（漏斗２４の下側に形成される排水の流路）を閉鎖するように、鋭角先端２７ｂが円周に沿って設けられている。
【００４３】
また、この環状閉鎖具２７の下端部の鋭角先端２７ｂは、封水容器２３内が封水切れとなり、環状閉鎖具２７が封水容器２３の底部に下降し当接したとき、底部に残留した水垢などにより環状閉鎖具２７が底部に付着しないようにしている。
【００４４】
環状閉鎖具２７が挿入される、漏斗２４の外側下端部の少し上方には、ストッパ２４ｂが設けられ、環状閉鎖具２７が、水中で浮力を受けて浮上したとき、その上部をこのストッパ２４ｂに当て、漏斗２４の外側下端部内で静止するようになっている。環状閉鎖具２７の高さは、図７に示すように、流路２３ａの高さより高く形成され、環状閉鎖具２７が下降した着座したとき、流路２３ａを確実に閉鎖可能となっている。
【００４５】
なお、環状閉鎖具２７は、漏斗２４の下端部の内側に、摺動自在に配設することもできる。その場合には、ストッパは漏斗２４の下端部内側に突出して設けられ、漏斗２４の下端部内側で環状閉鎖具２７はストッパに当り静止することになる。
【００４６】
上記構成の排水トラップは、例えば浴室の排水口や洗濯室の排水口に設置されて使用され、本体ケース２１の側部の排水管接続部２６には図示しない排水パイプ（排水管）が接続され、洗濯機の排水ホースなどが漏斗２４上部のホース挿入部２５に差し込まれて使用される。
【００４７】
排水は、上部の排水入口２４ａから漏斗２４を通り、封水容器２３に入る。そして、封水容器２３から溢れた排水が本体ケース２１内を通過して、側部に接続された排水管へと排水される。
【００４８】
この状態で、封水容器２３には、通常時、図５に示すように、常に封水が溜まっており、その封水により排水管と室内の空間とは遮断され、排水管からの臭気の逆流や虫の侵入が防止される。
【００４９】
一方、大量の水が流されて自己サイフォン現象や吸出し作用が発生して、封水容器２３内の封水が排水されて消失した場合、或いは排水トラップを設置した浴室などが長期間使用されず、封水容器２３内の封水が蒸発した場合、封水の減少と共に環状閉鎖具２７が下降し、図７のように、封水容器２３の底部に着座する。このため、漏斗２４の下端部と封水容器２３の底部間の流路２３ａが環状閉鎖具２７によって閉鎖され、排水管からの臭気の逆流や虫の侵入が防止される。
【００５０】
またこのとき、環状閉鎖具２７の下端部は円周状の鋭角先端２７ｂとなっており、環状閉鎖具２７はその円周状の鋭角先端２７ｂで底部に着座する。つまり、環状閉鎖具２７は、鋭角先端２７ｂの線状部分で着座するため、その間に隙間が生じにくく、環状閉鎖具２７による閉鎖性を良好に確保することができる。
【００５１】
一方、封水切れが発生して、環状閉鎖具２７の鋭角先端２７ｂが封水容器２３の底部に着座して流路２３ａを閉鎖した後、封水容器２３内に再び水が満たされ、環状閉鎖具２７に浮力が生じた場合、環状閉鎖具２７の底部は、鋭角先端２７ｂによって封水容器２３の底部に付着することがなく、封水容器２３内が封水切れを起した場合でも、その後、封水容器２３内に水を満たせば、流路２３ａを確実に開き、排水トラップを再び正常に機能させることができる。
【００５２】
さらに、環状閉鎖具７２は、ステンレス板などの金属板によりある程度重い自重を持って形成されるため、封水切れが発生した際には、その自重で確実に下降し、流路２３ａを閉じることができる。また、その後再び、封水容器２３内に水が入った場合には、環状閉鎖具２７が内部に充分容量の大きい空気室２７ａを有し、この空気室２７ａによる大きな浮力が発生する。このため、環状閉鎖具２７は確実に浮上し、流路２３ａを開放して、排水トラップの機能を確実に正常に戻すことができる。
【図面の簡単な説明】
【００５３】
【図１】本発明の一実施形態を示す排水トラップの半断面図である。
【図２】環状閉鎖具７の平面図（ａ）、正面図（ｂ）、断面図（ｃ）である。
【図３】封水容器内に封水が溜まった状態の部分拡大断面図である。
【図４】封水切れを起した状態の同部分拡大断面図である。
【図５】他の実施形態の排水トラップの断面図である。
【図６】他の実施形態の環状閉鎖具の平面図（ａ）、正面図（ｂ）、断面図（ｃ）である。
【図７】封水切れを起した状態の同排水トラップの断面図である。
【符号の説明】
【００５４】
１      本体ケース
２      排水筒
３      封水容器
３ａ    流路
６      排水管接続部
７      環状閉鎖具
７ａ    空気室
７ｂ    鋭角先端
８      逆椀
８ｂ    ストッパ
【図１】
2010048030.tif 000003
【図２】
2010048030.tif 000004
【図３】
2010048030.tif 000005
【図４】
2010048030.tif 000006
【図５】
2010048030.tif 000007
【図６】
2010048030.tif 000008
【図７】
2010048030.tif 000009